(57)【要約】      （修正有）【課題】ナットの寸法に関わらず、ナットを固定した状態で、適正な目標トルク値で締め付け、配管の接続作業をより確実かつ簡便に行うことができるレンチを提供する。【解決手段】一端に第１のオープンヘッド部１２が形成され、他端に第２のオープンヘッド部１３が形成されたレンチ１であって、  第１のオープンヘッド部１２は、基端側から先端側に向かって小径ナットが係合する第１の小係合部１２１、中径ナットが係合する第１の中係合部１２２及び大径ナットが係合する第１の大係合部１２３を並べた三段構成であり、第２のオープンヘッド部１３は、基端側から先端側に向かって小径ナットが係合する第２の小係合部１３１、中径ナットが係合する第２の中係合部１３２及び大径ナットが係合する第２の大係合部１３３を並べた三段構成である。第１の小係合部１２１、第１の中係合部１２２、第１の大係合部１２３、第２の小係合部１３１、第２の中係合部１３２及び第２の大係合部１３３は互いに係合するナットのサイズが異なる。【選択図】図１
0003220697.tif 000002
【実用新案登録請求の範囲】
【請求項１】
一端に第１のオープンヘッド部が形成され、他端に第２のオープンヘッド部が形成されたレンチであって、
前記第１のオープンヘッド部は、基端側から先端側に向かって小径ナットが係合する第１の小係合部、中径ナットが係合する第１の中係合部及び大径ナットが係合する第１の大係合部を並べた三段構成であり、
前記第２のオープンヘッド部は、基端側から先端側に向かって小径ナットが係合する第２の小係合部、中径ナットが係合する第２の中係合部及び大径ナットが係合する第２の大係合部を並べた三段構成であり、
前記第１の小係合部、前記第１の中係合部、前記第１の大係合部、前記第２の小係合部、前記第２の中係合部及び前記第２の大係合部は互いに係合するナットのサイズが異なることを特徴とするレンチ。
【考案の詳細な説明】
【技術分野】
【０００１】
本考案は、両端にオープンヘッド部が形成されたレンチに関する。
【背景技術】
【０００２】
室内機側配管及び室外機側配管を接続する作業は、室外機側配管のフレア部を室内機側配管のハーフユニオンのテーパー部に押し当て、六角ナット形状部をレンチで固定した状態で、ラチェット式のトルクレンチ等を用いて締結用六角ナットを室内機側配管の接続部におけるネジ部に螺合させることにより実施される。六角ナット形状部は、統一した規格がなくメーカ毎にサイズのバラツキが大きいため、従来は、下顎部及び上顎部の間隔を調整可能なモンキーレンチを用いて六角ナット形状部を固定していた。
【考案の概要】
【考案が解決しようとする課題】
【０００３】
しかしながら、モンキーレンチの場合、ウォームギアを回転させて下顎部及び上顎部の間隔を調整しなければならないため、接続作業が煩雑であった。また、六角ナット形状部の幅は、一般的に８ｍｍ以下の小サイズであるため、掴み代が小さく、熟練した作業者でなければモンキーレンチを使用することが難しかった。
【０００４】
六角ナット形状部の固定が不十分な状態で、締結用六角ナットを回転させると、六角ナット形状部とともに室内機側配管が回転してしまい、締結不良となるおそれがある。
【０００５】
エアコンの配管接続作業は、室内機近傍の制約された足場の悪いスペースで行わなければならないため、六角ナット形状部を確実に固定できるより簡便な工具が求められる。
【課題を解決するための手段】
【０００６】
上記課題を解決するために、本考案のレンチは、（１）一端に第１のオープンヘッド部が形成され、他端に第２のオープンヘッド部が形成されたレンチであって、前記第１のオープンヘッド部は、基端側から先端側に向かって小径ナットが係合する第１の小係合部、中径ナットが係合する第１の中係合部及び大径ナットが係合する第１の大係合部を並べた三段構成であり、前記第２のオープンヘッド部は、基端側から先端側に向かって小径ナットが係合する第２の小係合部、中径ナットが係合する第２の中係合部及び大径ナットが係合する第２の大係合部を並べた三段構成であり、前記第１の小係合部、前記第１の中係合部、前記第１の大係合部、前記第２の小係合部、前記第２の中係合部及び前記第２の大係合部は互いに係合するナットのサイズが異なることを特徴とする。
【考案の効果】
【０００７】
本発明によれば、ナットの寸法に関わらず、ナットを固定した状態で、適正な目標トルク値で締め付けることができる。これにより、配管の接続作業をより確実かつ簡便に行うことができる。
【図面の簡単な説明】
【０００８】
【図１】レンチの平面図である。
【考案を実施するための形態】
【０００９】
図１は、本実施形態に係るレンチの平面図であり、X軸、Y軸及びZ軸は互いに直交する三軸を示している。同図を参照して、レンチ１は、レンチ本体部１１と、レンチ本体部１１の一端に形成された第１オープンヘッド部１２と、レンチ本体部１１の他端に形成された第２のオープンヘッド部１３とを有する。
【００１０】
レンチ本体部１１は、X軸方向に延びており、X軸方向に並ぶ肉抜き部１１aが三つ形成されている。肉抜き部１１aを形成することによって、レンチ本体部１１が軽量化されるため、レンチ使用時の使用者の負担が軽減される。
【００１１】
第１オープンヘッド部１２は、レンチ本体部１１の一端からX軸方向に離隔するにしたがって、Y軸方向にシフトするように傾斜している。以下の説明において、第１オープンヘッド部１２が傾斜する方向を、第１傾斜方向Ｔ１と定義するものとする。第１オープンヘッド部１２の基端部には、第１傾斜方向Ｔ１に沿って延びる一対の第1の小係合部１２１が形成されており、これらの一対の第1の小係合部１２１の基端側は弧状部１２４により接続されている。弧状部１２４は、レンチ本体部１１側に凸となる方向に屈曲している。弧状部１２４が形成されることにより、一対の第1の小係合部１２１にナットを係合させたときに、ナットがレンチ１に干渉することが防止される。
【００１２】
第１の小係合部１２１の先端側には、連接部１２５を介して一対の第１の中係合部１２２が形成されている。一対の第１の中係合部１２２は、第１の傾斜方向Ｔ１に沿って延びている。第１の中係合部１２２は、第１の小係合部１２１よりも径寸法の大きなナットを係合させることができるように構成されている。つまり、一対の第１の中係合部１２２は、一対の第１の小係合部１２１よりも、第１の傾斜方向Ｔ１に対して直交する方向の距離（つまり、係合面の離間距離）が長く設定されている。
【００１３】
第１の中係合部１２２の先端側には、連接部１２６を介して一対の第１の大係合部１２３が形成されている。一対の第１の大係合部１２３は、第１の傾斜方向Ｔ１に沿って延びている。第１の大係合部１２３は、第１の中係合部１２２よりも径寸法の大きなナットを係合させることができるように構成されている。つまり、一対の第１の大係合部１２３は、一対の第１の中係合部１２２よりも、第１の傾斜方向Ｔ１に対して直交する方向の距離（つまり、係合面の離間距離）が長く設定されている。
【００１４】
第２オープンヘッド部１３は、レンチ本体部１１の他端からX軸の逆方向に離隔するにしたがって、Y軸の逆方向にシフトするように傾斜している。以下の説明において、第２オープンヘッド部１３が傾斜する方向を、第２傾斜方向Ｔ２と定義するものとする。第２オープンヘッド部１３の基端部には、第２傾斜方向Ｔ２に沿って延びる一対の第２の小係合部１３１が形成されており、これらの一対の第２の小係合部１３１の基端側は弧状部１３４により接続されている。弧状部１３４は、レンチ本体部１１側に凸となる方向に屈曲している。弧状部１３４が形成されることにより、一対の第２の小係合部１３１にナットを係合させたときに、ナットがレンチ１に干渉することが防止される。
【００１５】
第２の小係合部１３１の先端側には、連接部１３５を介して一対の第２の中係合部１３２が形成されている。一対の第２の中係合部１３２は、第２の傾斜方向Ｔ２に沿って延びている。第２の中係合部１３２は、第２の小係合部１３１よりも径寸法の大きなナットを係合させることができるように構成されている。つまり、一対の第２の中係合部１３２は、一対の第２の小係合部１３１よりも、第２の傾斜方向Ｔ２に対して直交する方向の距離（つまり、係合面の離間距離）が長く設定されている。
【００１６】
第２の中係合部１３２の先端側には、連接部１３６を介して一対の第２の大係合部１３３が形成されている。一対の第１の大係合部１３３は、第２の傾斜方向Ｔ２に沿って延びている。第２の大係合部１３３は、第２の中係合部１３２よりも径寸法の大きなナットを係合させることができるように構成されている。つまり、一対の第２の大係合部１３３は、一対の第２の中係合部１３２よりも、第２の傾斜方向Ｔ２に対して直交する方向の距離（つまり、係合面の離間距離）が長く設定されている。
【００１７】
ここで、一対の第２の小係合部１３１、一対の第２の中係合部１３２及び一対の第２の大係合部１３３の係合面の離間距離はいずれも、一対の第１の小係合部１２１の係合面の離間距離、一対の第１の中係合部１２２の係合面の離間距離、一対の第１の大係合部１２３の係合面の離間距離とは異なる。つまり、第１の小係合部１２１、第１の中係合部１２２、第１の大係合部１２３、第２の小係合部１３１、第２の中係合部１３２及び第２の大係合部１３３は互いに係合するナットのサイズが異なる。
【００１８】
上述の構成によれば、サイズが互いに異なる六種類のナットに係合可能なレンチを提供することができる。モンキーレンチのように、ウォームギアを回転させて下顎部及び上顎部の間隔を調整する必要がないため、熟練の作業者でなくても、配管の接続作業をより確実かつ簡便に行うことができる。
【符号の説明】
【００１９】
１  レンチ
１１  レンチ本体部
１２  第１オープンヘッド部
１３  第２のオープンヘッド部
１２１  第１の小係合部
１２２  第１の中係合部
１２３  第１の大係合部
１３１  第２の小係合部
１３２  第２の中係合部
１３３  第２の大係合部
【図１】
0003220697.tif 000003